(57)【特許請求の範囲】
【請求項１】
蓋部と、該蓋部によって覆蓋可能とした光コンセント本体と、
光ケーブルを入線させるよう光コンセント本体の上側の幅方向の中間及び下側の幅方向の中間にそれぞれ形成された入線溝と、
入線溝の入線方向後端部側に設けられた光ケーブルの把持部と、
光ケーブルの余長部分を巻回して収納するよう光コンセント本体の略中央部に設けられた巻回収納部と、
光コンセント本体内に収納された光ケーブルの光コネクタプラグを接続するよう光コンセント本体の上あるいは下の入線溝の両側に内蔵された光コネクタアダプタと、を備え、
前記入線溝は、２本の光ケーブルを各入線させて光コネクタプラグによって個別に光コネクタアダプタに接続させる両側入線溝と、
二芯の光ケーブルの分岐させた各芯線を光コネクタプラグによって個別に光コネクタアダプタに接続させるよう当該二芯の光ケーブルを入線させる中央入線溝とを有し、
前記光ケーブルの把持部は、弾性を有する押え片にて形成され、該押え片の光ケーブル保持面側には係止部を備えて成り、
前記中央入線溝は、二芯の光ケーブルの両芯線が分岐して導入される芯線分岐部を当該中央入線溝の入線方向後端部側に備え、露出した両芯線には保護チューブが被せられ、前記把持部によって把持されるものとし、
前記光コンセント本体の底板部には、光ケーブルを光コンセント本体の裏面側から入線させるよう入線用開口部が設けられていることを特徴とする二芯光コンセント。
【発明の詳細な説明】
【技術分野】
【０００１】
本発明は、例えば建築物の壁面に露出させて取付けられたり、あるいは分電盤内等に設置されたりする二芯光コンセントに関する。
【背景技術】
【０００２】
一般に、建物等の内部に導かれた光ケーブルにはケーブル同士の接続が容易に行えるように余長部分が設けられており、接続後には、この余長部分を光コンセント内に巻回された状態で収納される。
【０００３】
しかし、巻回状態で収納されるファイバ芯線は長さが必ずしも一定ではないため、巻回部に接触して巻き付けられたり、巻回部から非接触で離れて巻かれたり、ファイバ芯線自体の弾性のために張出部分から外れ巻回部から飛び出してしまったりする等、収納に際し様々な弊害を生じていた。
【０００４】
このような問題を解決すべく、従来においては、例えば特許文献１に開示されているようなファイバ芯線の収容を容易にする光コンセントなる技術が存在する。
【０００５】
すなわち、この光コンセントは、ボックス本体と、該ボックス本体の前面開口部内に収納される光ファイバトレイと、該光ファイバトレイを覆うとともに上記ボックス本体の前面を覆う内カバーと、該内カバーに係合しボックス本体及び内カバー全体を覆う化粧カバーとを備えている。
【０００６】
また、光ファイバトレイの下端両側には光ファイバジャックを固定する固定部を設け、ボックス本体の下端中央には光ファイバのインドアケーブルをこの被覆部分に噛み込んで把持する側面視コ字状に折り曲げ形成され前後にはＵ字状の切込みが形成されて成る把持部材および防塵・気密用のブッシングを収容する収容部を設けている。
【０００７】
さらに、光ファイバトレイには、ファイバ芯線の余長を巻き回す巻回部を所定間隔をおいて上下方向に複数並接し、外部からボックス本体内部に引き込んだインドアケーブルの光ファイバ芯線と、ボックス本体内部に配置された光ファイバジャックに接続された光ファイバ芯線とを融着接続するとともに、融着部を保護する補強スリーブを保持する保持部を設けている。
【先行技術文献】
【特許文献】
【０００８】
【特許文献１】特開２００６−２３５５５７号公報
【発明の概要】
【発明が解決しようとする課題】
【０００９】
しかしながら、上記した特許文献１に示す技術の場合、光コンセントは、ボックス本体、光ファイバトレイ、内カバー、化粧カバー、把持部材、ブッシングとの各独立した６つの部材から成るので、組み付けが非常に面倒なものとなる。しかも、部品点数が多いことから製作費が嵩むものとなる。
【００１０】
また、ボックス本体の下端中央に収容されている側面視コ字状に折り曲げ形成され前後にはＵ字状の切込みが形成されて成る把持部材は、インドアケーブルの被覆部分の一箇所に噛み込んで当該インドアケーブルを把持しているため、光ケーブルに対する把持機能および保護機能が十分とはいえず、例えば異なる径の光ケーブルを緩み無く確実に把持した状態で入線させることはほとんど不可能である。
【００１１】
さらに、外部からボックス本体内部に引き込んだインドアケーブルの光ファイバ芯線と、ボックス本体内部に配置された光ファイバジャックに接続された光ファイバ芯線とを、上下方向に複数並接した巻回部の間の左右対称位置において融着接続することから、これまた組み付けが非常に面倒なものとなる。しかも、この融着接続部分を保護する補強スリーブを保持するために、光ファイバトレイに保持部を設けているので、構造も複雑化し製作費も嵩むものとなる。
【００１２】
しかも、光コンセントを例えばスイッチボックス等に設置した際には、光ケーブルを光コンセントの裏面側から入線することができないことから、光コンセントの取付位置の選択・条件に応じて十分な対応が得られないという問題を有している。
【００１３】
そこで、本発明は、叙上のような従来存した諸事情に鑑み案出されたもので、光コンセント本体と蓋部との２部品による組み付けで設置可能にすることで、二芯光コンセントの小型化・低コスト化と設置作業の効率化を図ることができ、また、光コンセント本体内に入線された光ケーブルに対する把持機能および保護機能を向上させ、さらに、二芯光コンセントの取付位置の選択・条件に応じて十分な対応が行える二芯光コンセントを提供することを目的とする。
【課題を解決するための手段】
【００１４】
上述した課題を解決するために、本発明にあっては、
蓋部と、該蓋部によって覆蓋可能とした光コンセント本体と、
光ケーブルを入線させるよう光コンセント本体の上側の幅方向の中間及び下側の幅方向の中間にそれぞれ形成された入線溝と、
入線溝の入線方向後端部側に設けられた光ケーブルの把持部と、
光ケーブルの余長部分を巻回して収納するよう光コンセント本体の略中央部に設けられた巻回収納部と、
光コンセント本体内に収納された光ケーブルの光コネクタプラグを接続するよう光コンセント本体の上あるいは下の入線溝の両側に内蔵された光コネクタアダプタと、を備え、
前記入線溝は、本の光ケーブルを各入線させて光コネクタプラグによって個別に光コネクタアダプタに接続させる両側入線溝と、
二芯の光ケーブルの分岐させた各芯線を光コネクタプラグによって個別に光コネクタアダプタに接続させるよう当該二芯の光ケーブルを入線させる中央入線溝とを有し、
前記光ケーブルの把持部は、弾性を有する押え片にて形成され、該押え片の光ケーブル保持面側には係止部を備えて成り、
前記中央入線溝は、二芯の光ケーブルの両芯線が分岐して導入される芯線分岐部を当該中央入線溝の入線方向後端部側に備え、露出した両芯線には保護チューブが被せられ、前記把持部によって把持されるものとし、
前記光コンセント本体の底板部には、光ケーブルを光コンセント本体の裏面側から入線させるよう入線用開口部が設けられていることを特徴とする。
【発明の効果】
【００１５】
本発明によれば、光コンセント本体と蓋部との２部品による組み付けで設置可能にすることで、二芯光コンセントの小型化・低コスト化と設置作業の効率化を図ることができ、また、光コンセント本体内に入線された光ケーブルに対する把持機能および保護機能を向上させ、さらに、二芯光コンセントの取付位置の選択・条件に応じて十分な対応が行える。
【００１６】
すなわち、蓋部と、該蓋部によって覆蓋可能とした光コンセント本体と、
光ケーブルを入線させるよう光コンセント本体の上側の幅方向の中間及び下側の幅方向の中間にそれぞれ形成された入線溝と、
入線溝の入線方向後端部側に設けられた光ケーブルの把持部と、
光ケーブルの余長部分を巻回して収納するよう光コンセント本体の略中央部に設けられた巻回収納部と、
光コンセント本体内に収納された光ケーブルの光コネクタプラグを接続するよう光コンセント本体の上あるいは下の入線溝の両側に内蔵された光コネクタアダプタと、を備え、
入線溝は、２本の光ケーブルを各入線させて光コネクタプラグによって個別に光コネクタアダプタに接続させる両側入線溝と、
二芯の光ケーブルの分岐させた各芯線を光コネクタプラグによって個別に光コネクタアダプタに接続させる中央入線溝とを有して成るので、
光コンセント本体と蓋部との２部品による組み付けで容易に設置することができ、光コンセントの小型化・低コスト化と設置作業の効率化を十分に図ることができる。また、設置条件に応じて２本の光ケーブルの個別接続と、二芯の光ケーブルの分岐接続との２つが自由に選択できるという設置自由度が向上し、これによって、設置作業の効率化を十分に図ることがでる。
【００１７】
光ケーブルの把持部は、弾性を有する押え片にて形成され、該押え片の光ケーブル保持面側には係止部を備えて成るので、異なる径の光ケーブルをしっかりと押え付けた状態で緩み無く収納把持することができる。
【００１８】
中央入線溝は、二芯の光ケーブルの両芯線が分岐して導入される芯線分岐部を当該中央入線溝の入線方向後端部側に備え、露出した両芯線には保護チューブが被せられ、前記把持部によって把持されるので、分岐した芯線を保護チューブと共に引き留めておくことができ、各芯線をしっかりと押え付けた状態で緩み無く収納把持することができる。
【００１９】
光コンセント本体の底板部には、光ケーブルを光コンセント本体の裏面側から入線させるよう入線用開口部が設けられているので、光コンセント本体の上下と底板部との合計３個の入線部分が存在することから、光コンセント本体の取付位置の状態に応じて最も適正な光ケーブルの入線部を適宜選択することができる。すなわち、光コンセント本体を例えばスイッチボックス等に設置した際に、光ケーブルを光コンセント本体の裏面側から入線することができ、光コンセントの取付位置の選択・条件に応じて十分な対応が行える。
【図面の簡単な説明】
【００２０】
【図１】本発明を実施するための一形態における二芯光コンセントの分解斜視図である。
【図２】同じく光コンセント本体の構成の一例を示すもので、（ａ）は正面図、（ｂ）は背面図である。
【図３】同じく光ケーブルを配設した二芯光コンセントの分解斜視図である。
【図４】２本の光ケーブルを配設した光コンセント本体を示し、（ａ）は光コンセント本体の上側から入線した場合の正面図、（ｂ）は光コンセント本体の下側から入線した場合の正面図、（ｃ）は光コンセント本体の裏面側から入線した場合の正面図である。
【図５】１本の二芯光ケーブルを分岐配設した光コンセント本体を示し、（ａ）は光コンセント本体の上側から入線した場合の正面図、（ｂ）は光コンセント本体の下側から入線した場合の正面図である。
【図６】光コンセント本体の入線溝の構成例を示し、（ａ）は上側の入線溝の把持部を拡大した正面図、（ａ）は下側の入線溝の把持部を拡大した正面図である。
【図７】光コンセント本体の裏面側に設けた入線開口部から引きちぎった押し込み具の一例を示し、（ａ）は押し込み具の斜視図、（ｂ）は押し込み具の使用状態の縦断面図である。
【発明を実施するための形態】
【００２１】
以下、図面を参照して本発明の実施の一形態を詳細に説明する。
本発明に係る二芯光コンセントは、蓋部２と、該蓋部２によって覆蓋可能とした光コンセント本体１との２部材から構成されている。このうち光コンセント本体１は、図１乃至図５に示すように、底板部４の上下左右の合計４箇所に取付孔３を有し、該取付孔３に通した不図示のネジにより、光コンセント本体１を適宜箇所例えば建築物の壁面に露出させて取付けたり、あるいは分電盤内等に設置する。
【００２２】
図１、図２（ａ）、図３、図４、図５に示すように、光コンセント本体１の底板部４上面における上下双方の中間位置には、共に直線状となった上側入線溝５および下側入線溝６が光コンセント本体１の上下位置で対称となって形成されており、必要に応じて光ケーブルＫを上下いずれの方向からでも入線できるようになっている。
【００２３】
また、光コンセント本体１の略中央部（実際はやや上側入線溝５寄りの位置）には、上側入線溝５または下側入線溝６に沿って入線された光ケーブルＫの余長部分を巻回して収納するための巻回収納部７が形成されている。この巻回収納部７は、光ケーブルＫを曲げた状態で収納する際に、光ケーブルＫが許容曲げ半径以下にならないように規制するための共に円弧状となった左右一対の内枠７ａおよび外枠７ｂによって囲繞形成されている。
【００２４】
これら内枠７ａ、外枠７ｂの各上端には複数の係止片８が互いに内向きとなって突出形成されており、巻回収納部７に収納された光ケーブルＫを上方へ離脱させないように当該係止片８によって保持するようにしている。
【００２５】
また、図４（ｃ）に示すように、光コンセント本体１の内枠７ａと外枠７ｂとによって囲繞された左右対称位置には、光ケーブルＫを光コンセント本体１の裏面側から入線させるための入線用開口部９ａ、９ｂが設けられている。
【００２６】
そして、図２、図３、図４（ａ）、図４（ｂ）、図５（ａ）、図５（ｂ）に示すように、入線用開口部９ａ、９ｂの一方側には、上方より光ケーブルＫを上側入線溝５または下側入線溝６に押し込むための矩形板状の押し込み具１０が、左右一対の切断可能な切り取り部１１を介して取り付けられている。
【００２７】
この押し込み具１０は、切り取り部１１を強制的に引きちぎり分離してから使用されるもので、図７（ａ）に示すように、一端の取っ手１０ａと他端の押し込み部１０ｂとから成り、押し込み部１０ｂ先端には、図７（ｂ）に示すように、上側入線溝５または下側入線溝６に、光ケーブルＫを保持しながら押し込むために、前後に互い違いとなって傾斜して成る合計４つの押し込み傾斜面部１２ａ、１２ｂ、１２ｃ、１２ｄが先端面長手方向に沿って連設されて形成されている。
【００２８】
図１、図２（ａ）、図３、図４、図５、図６（ａ）に示すように、上側入線溝５には、２本の光ケーブルＫを個別に入線させるための左右一対の両側入線溝５ａ、５ｂを備え、その入線方向後端部側には把持部１３が形成されている。また、両側入線溝５ａ、５ｂの中央には、二芯の光ケーブルＫを入線させるための中央入線溝５ｃを備え、この中央入線溝５ｃの内壁面には、二芯の光ケーブルＫを把持するための把持部１４（および係止部１９）が形成されている。また、中央入線溝５ｃの入線方向後端部側には二芯の光ケーブルＫの露出した両芯線ｏが分岐して入線させるための芯線分岐部１６が形成されている。
【００２９】
この芯線分岐部１６は、図６（ａ）、図６（ｂ）に示すように、分岐した各芯線ｏを二股となって個別に通すための左右一対の溝に通じる幅広な室によって形成されており、各溝の内壁面には把持部１５が各形成され、露出した各芯線ｏに保護チューブ１７が被せられた状態で当該把持部１５（および係止部１９）によって各把持されるものとしてある。
【００３０】
また、図６（ａ）、図６（ｂ）に示すように、把持部１３、１４、１５のうち少なくとも把持部１３の方は、弾性を有するバネ等の押え片１８にて形成されており、該押え片１８の光ケーブルＫ保持面側には複数突起状の係止部１９を備えている。
【００３１】
図１、図２（ａ）、図３、図４、図５、図６（ｂ）に示すように、下側入線溝６の方も、上記した上側入線溝５と同じ構成となった両側入線溝６ａ、６ｂ、および中央入線溝６ｃを備えている。尚、把持部１３、１４、１５および芯線分岐部１６の配置および形状等は上側入線溝５の場合と同じなので、その説明は省略する。
【００３２】
また、両側入線溝５ａ、５ｂ（６ａ、６ｂ）、および中央入線溝５ｃ（６ｃ）の入口部分は、底板部４から立設した突起爪状の入線蓋２０によって対向状となって塞がれており、両側入線溝５ａ、５ｂ（６ａ、６ｂ）、または中央入線溝５ｃ（６ｃ）のいずれかを使用する際には、これらに対応した入線蓋２０が切断開口される。
【００３３】
光コンセント本体１の上側入線溝５または下側入線溝６の両側には、巻回収納部７に巻回収納された光ケーブルＫの先端部に取り付けられている光コネクタプラグＰを接続するための光コネクタアダプタＱが左右一対の保持枠２１によって係入支持された状態となって配設されている。このとき、光コネクタアダプタＱの後部側と巻回収納部７の左右両側との間が光コネクタプラグＰの収容部２２となっている。
【００３４】
そして、両側入線溝５ａ、５ｂ（６ａ、６ｂ）から各入線した２本の光ケーブルＫは、巻回収納部７に巻回された後に、各光ケーブルＫを光コネクタプラグＰによって個別に光コネクタアダプタＱに接続させるものとなっている。
【００３５】
また、中央入線溝５ｃ（６ｃ）から入線した二芯の光ケーブルＫは、芯線分岐部１６で分岐されて露出した各芯線ｏに保護チューブ１７が被せられ、巻回収納部７に巻回された後に、各芯線ｏを光コネクタプラグＰによって個別に光コネクタアダプタＱに接続させるものとしてある。尚、あらかじめ光コネクタプラグＰを光コネクタアダプタＱに接続させておいて当該光コネクタアダプタＱおよび光コネクタプラグＰを光コンセント本体１に取りつけることもできる。
【００３６】
蓋部２は、光コンセント本体１に対して溝部と爪部とのパッチン式嵌合によって閉蓋固定されるもので、当該蓋部２の上下いずれか側には、光コンセント本体１に取り付けられている両側の光コネクタアダプタＱの位置に対応して左右一対の切欠開口部２ａが形成され、また両切欠開口部２ａの中央には、光コンセント本体１に立設した３つの入線蓋２０が嵌り込むように３つの嵌合凹部２ｂが形成されている。
【００３７】
次に、以上のように構成された形態についての組立、使用の一例について説明する。
先ず、両側入線溝５ａ、５ｂ（６ａ、６ｂ）、または中央入線溝５ｃ（６ｃ）のいずれかを使用する際には、これらに対応した入線蓋２０を切断し開口させておく。また、入線用開口部９ａ、９ｂの一方側に取り付けられている押し込み具１０を切り取り部１１の切断によって予め取り外しておく。そして、取付孔３に通した不図示のネジにより、光コンセント本体１を適宜箇所例えば建築物の壁面に取り付ける。
【００３８】
図４（ａ）に示すように、２本の光ケーブルＫを光コンセント本体１の上側から接続する場合には、上側入線溝５の両側入線溝５ａ、５ｂそれぞれに入線させる。このとき、２本の光ケーブルＫに押し込み具１０先端の押し込み部１０ｂを当て上方から押し込むことによって、２本の光ケーブルＫを把持部１３に各把持させる。そして、巻回収納部７にそれぞれ巻回し係止片８によって保持させた後に、各光ケーブルＫを光コネクタプラグＰによって個別に光コネクタアダプタＱに接続させる。このとき、各光コネクタプラグＰは収容部２２に収容され、各光コネクタアダプタＱは、左右一対の保持枠２１によって係入支持された状態となって配設される。そして、光コンセント本体１を蓋部２によって閉蓋する。
【００３９】
図４（ｂ）に示すように、２本の光ケーブルＫを光コンセント本体１の下側から接続する場合には、２本の光ケーブルＫを下側入線溝６の両側入線溝６ａ、６ｂそれぞれに入線させ、上記と同じようにして各光ケーブルＫを光コネクタプラグＰによって個別に光コネクタアダプタＱに接続させる。
【００４０】
図４（ｃ）に示すように、２本の光ケーブルＫを光コンセント本体１の裏面側から接続する場合には、２本の光ケーブルＫを入線用開口部９ａ、９ｂそれぞれに入線させ、上記と同じようにして、巻回収納部７にそれぞれ巻回し係止片８によって保持した後に、各光ケーブルＫを光コネクタプラグＰによって個別に光コネクタアダプタＱに接続させる。
【００４１】
図５（ａ）に示すように、二芯の光ケーブルＫを分岐して光コンセント本体１の上側から接続する場合には、二芯の光ケーブルＫを上側入線溝５の中央入線溝５ｃに入線させ、把持部１４で把持させる。このとき、二芯の光ケーブルＫを芯線分岐部１６で分岐させて露出した各芯線ｏに保護チューブ１７が被せられ、把持部１５で各把持させる。そして、巻回収納部７にそれぞれ巻回し係止片８によって保持した後に、各芯線ｏを光コネクタプラグＰによって個別に光コネクタアダプタＱに接続させる。このとき、上記と同じように各光コネクタプラグＰは収容部２２に収容され、各光コネクタアダプタＱは、左右一対の保持枠２１によって係入支持された状態となって配設され、光コンセント本体１を蓋部２によって閉蓋する。
【００４２】
図５（ｂ）に示すように、二芯の光ケーブルＫを分岐して光コンセント本体１の下側から接続する場合には、二芯の光ケーブルＫを下側入線溝６の中央入線溝６ｃに入線させ、上記と同じようにして各芯線ｏを光コネクタプラグＰによって個別に光コネクタアダプタＱに接続させる。
【符号の説明】
【００４３】
Ｋ                              光ケーブル
Ｐ                              光コネクタプラグ
Ｑ                              光コネクタアダプタ
ｏ                              芯線
１                              光コンセント本体
２                              蓋部
２ａ                            切欠開口部
２ｂ                            嵌合凹部
３                              取付孔
４                              底板部
５                              上側入線溝
５ａ、５ｂ                      両側入線溝
５ｃ                            中央入線溝
６                              下側入線溝
６ａ、６ｂ                      両側入線溝
６ｃ                            中央入線溝
７                              巻回収納部
７ａ                            内枠
７ｂ                            外枠
８                              係止片
９ａ、９ｂ                      入線用開口部
１０                            押し込み具
１０ａ                          取っ手
１０ｂ                          押し込み部
１１                            切り取り部
１２ａ、１２ｂ、１２ｃ、１２ｄ  押し込み傾斜面部
１３、１４、１５                把持部
１６                            芯線分岐部
１７                            保護チューブ
１８                            押え片
１９                            係止部
２０                            入線蓋
２１                            保持枠
２２                            収容部
【図１】
0005415905.tif 000002
【図２】
0005415905.tif 000003
【図３】
0005415905.tif 000004
【図４】
0005415905.tif 000005
【図５】
0005415905.tif 000006
【図６】
0005415905.tif 000007
【図７】
0005415905.tif 000008